(57)【要約】      （修正有）【課題】ローラを付勢するスプリングを、相手部材に干渉しないようにしたローラ型ワンウェイクラッチを提供する。【解決手段】外輪１と、内輪と、外輪１と内輪との間でトルクを伝達するローラ３と、ローラ３を保持する窓が設けられている保持器と、ポケット内で外輪１とローラ３との間に配置され、一端及び他端がそれぞれ本体部に対して不連続に曲げられたタブ部１５及び１６を備えており、タブ部１５は外輪１の軸方向端面２２に係止されており、タブ部１６はローラ３の軸方向端面と保持器のフランジ部との間に挟持されており、ローラ３をカム面との係合方向に付勢するスプリング５と、を備えるワンウェイクラッチにおいて、スプリングは、一端で外輪に固定され、他端でローラに係合し、一端及び他端のそれぞれは、スプリングの本体部に対して曲げ部で連続しており、曲げ部に外輪及びローラとの干渉を防止する干渉防止部が設けられている。【選択図】図５
2010116988.tif 000002
【特許請求の範囲】
【請求項１】
内周にカム面を有する少なくとも一つのポケットが形成され、軸方向一端面の内径側に段部が設けられている外輪と、
前記外輪に対して半径方向内径側に離間され、相対回転自在に同心状に配置された内輪と、
前記ポケット内に配置され、前記カム面に係合し、前記外輪と前記内輪との間でトルクを伝達するローラと、
円筒部と、前記円筒部から外径方向へ延在し、前記外輪の前記段部に嵌合するフランジ部を備え、前記ローラの径よりも小さい円周方向の窓幅を有し、前記ローラを保持する窓が前記円筒部に設けられている、前記外輪に対して相対回動自在である保持器と、
前記ポケット内で前記外輪と前記ローラとの間に配置され、前記ローラを前記カム面との係合方向に付勢するスプリングと、を備えるワンウェイクラッチにおいて、
前記スプリングは、一端で前記外輪に固定され、他端で前記ローラに係合し、前記一端及び他端のそれぞれは、前記スプリングの本体部に対して曲げ部で連続しており、前記曲げ部に前記外輪及び前記ローラとの干渉を防止する干渉防止部が設けられていることを特徴とするワンウェイクラッチ。
【請求項２】
前記スプリングはアコーディオンスプリングであり、前記本体部は蛇腹状であり、前記干渉防止部は前記曲げ部から外側に湾曲する湾曲部であることを特徴とする請求項１に記載のワンウェイクラッチ。
【発明の詳細な説明】
【技術分野】
【０００１】
本発明は、例えば自動車や産業機械などの駆動装置内でトルク伝達、バックストップ等の部品として使用されるローラ型ワンウェイクラッチに関するものである。
【背景技術】
【０００２】
一般に、ローラ型ワンウェイクラッチは、内周にカム面を有する少なくとも一つのポケットが形成された外輪と、外輪と同心に配置されており外周軌道面を有する内輪と、ポケット内に配置されて内輪の外周軌道面と外輪の内周カム面との間でトルクを伝達するローラと、ポケット内で外輪とローラとの間に配置され、ローラをカム面との係合方向に付勢するスプリングなどから成っている。
【０００３】
このような構成において、ローラ型ワンウェイクラッチはローラとカム面とで構成されるカム機構により、外輪に対して内輪を一方向のみに回転するようにしている。すなわち内輪は外輪に対して一方向で空転し、その逆方向でのみカム機構を介して外輪に回転トルクを与える構成になっている。
【０００４】
このようなローラ型ワンウェイクラッチに用いられるスプリングの一例を図８に示す。図８は、図４のX−X線に沿った断面図と同様の図である。
【０００５】
図８に示すように、スプリング５５の一端及び他端は本体部７７に対して曲げられたタブ部６５及び６６を備えており、タブ部６５は外輪５１の軸方向端面７２に係止されており、タブ部６６はローラ５３の軸方向端面と保持器のフランジ部（不図示）との間に挟持されている。
【０００６】
ここでタブ部６５と本体部７７との曲げ部、すなわち連結部７５は外輪５１の縁部に当接するように、またタブ部６６と本体部７７との連結部７６はローラ５３の縁部に当接するように設けられている。
【０００７】
このように、連結部が外輪やローラなどの相手部材に当接して干渉すると、ワンウェイクラッチの動作の際に、連結部に不必要な力が加わり、連結部の疲労折損や、摩耗による早期折損などを引き起こし、またローラのスムースな動作にも支障をきたし、ワンウェイクラッチの信頼性の低下につながる。
【０００８】
また、ローラ型ワンウェイクラッチでは、確実な噛み合わせを得るため、トルク伝達部材であるローラや、それを付勢するスプリングなどがポケットから軸方向及び径方向に脱落しないようにする必要がある。
【０００９】
例えば二輪車用のスタータに使用されているワンウェイクラッチでは、特許文献１に開示のように、ローラ及びスプリングが脱落するのを防止するために、外輪の両側に側板を設けることが提案されている。
【００１０】
この出願の発明に関連する先行技術文献情報としては次のものがある。
【特許文献１】特開２００７−０６４４７５号公報
【発明の開示】
【発明が解決しようとする課題】
【００１１】
従来のローラ型ワンウェイクラッチでは、スプリングのタブ部と本体部との連結部が外輪やローラなどの相手部材に当接して干渉しているために、ワンウェイクラッチの動作の際に、連結部に不必要な力が加わり、連結部の疲労折損や、摩耗による早期折損などを引き起こし、またローラのスムースな動作にも支障をきたし、ワンウェイクラッチの信頼性の低下につながっていた。
【００１２】
一方で、特許文献１に開示されているように、ローラやスプリングの脱落防止のために外輪の軸方向の両側に側板を設けることが必要であった。また、ワンウェイクラッチが内輪に装着される前の状態では、ローラやスプリングの径方向への脱落防止手段を別に設けることが必要であった。いずれの場合でも、コスト低減の支障となっていた。
【００１３】
従って、ワンウェイクラッチの噛み合い及び空転において従来に比べて信頼性が向上しており、且つ従来に比べてコストが低減した、ローラ及びスプリングの脱落防止手段が設けられたローラ型ワンウェイクラッチが望まれている。
【００１４】
そこで本発明ではローラ型ワンウェイクラッチにおいて、ローラを付勢するスプリングを、本体部とタブ部との間の連結部が相手部材に干渉しないように設けることによって、信頼性の向上したローラ型ワンウェイクラッチを提供し、またトルク伝達部材であるローラや、それを付勢するスプリングなどがポケットから軸方向及び径方向に脱落しないようにするために従来設けられていた側板を用いずに脱落を防止することによって、コスト低減を実現することを目的としている。
【課題を解決するための手段】
【００１５】
上記目的を達成するため、本発明のローラ型ワンウェイクラッチは、
カム面を有する凹部として形成された少なくとも一つのポケットを内周に備え、軸方向一端面の内径側に段部が設けられている環状の外輪と、
外輪に対して半径方向内径側に離間され、相対回転自在に同心状に配置され、環状の外周軌道面を有する内輪と、
ポケット内に配置されて内輪の外周軌道面と外輪の内周カム面との間でトルクを伝達するローラと、
ポケット内で外輪とローラとの間に配置され、前記ローラを前記カム面との係合方向に付勢するスプリングと、を備えるワンウェイクラッチにおいて、
スプリングは、一端で外輪に固定され、他端でローラに係合し、一端及び他端のそれぞれは、スプリングの本体部に対して曲げ部で連続しており、曲げ部に外輪及びローラとの干渉を防止する干渉防止部が設けられていることを特徴としている。
【００１６】
また、本発明のローラ型ワンウェイクラッチは、スプリングはアコーディオンスプリングであり、本体部は蛇腹状であり、干渉防止部は曲げ部から外側に湾曲する湾曲部であることを特徴としている。
【発明の効果】
【００１７】
本発明のローラ型ワンウェイクラッチでは、スプリングのタブ部と本体部との連結部が外輪やローラなどの相手部材に当接しないように設けることにより、連結部と相手部材との干渉を避けることができ、ワンウェイクラッチの動作の際に、連結部に不必要な力が加わることにより、連結部の疲労折損や、摩耗による早期折損などを引き起こすこと、またローラのスムースな動作にも支障をきたすことを防止し、より信頼性が向上したローラ型ワンウェイクラッチが可能となる。
【００１８】
加えて、外輪と、円周方向ではローラ径より小さい円周方向の窓幅を持ち、径方向には貫通しているが、軸方向では両端部とも閉じられている、すなわちローラが着座するように四辺の囲まれたほぼ矩形の窓とポケットの軸方向片側端部にフランジを持った保持器とによりローラの軸方向及び内径方向への保持器からの脱落を防止している。
【００１９】
また、保持器のフランジを外輪端面内径部に設けられた段部に嵌合し、このフランジ側外輪端面にジェネレータなどを固定することにより、保持器の脱落を防止している。
【００２０】
さらに、スプリングの一方の端部を外輪端面に固定することにより、スプリングの脱落を防止している。
【００２１】
従って、従来のローラ型ワンウェイクラッチに必要であった側板が廃止でき、コストを低減することができる。
【００２２】
また、保持器が外輪に対して相対回転自在であることにより、径方向のローラの脱落を防止するために、保持器の円周方向の窓幅をローラ径より小さくしても、ワンウェイクラッチ作動の際の、噛み合い時のローラの移動、また空転時のローラの移動において保持器がローラの動きを妨害しないため、スムースな噛み合い及び空転が可能となり、また全てのローラの動きに対し、保持器が同期作用を及ぼし、より噛み合い信頼性が向上したローラ型ワンウェイクラッチが可能となる。
【発明を実施するための最良の形態】
【００２３】
以下、添付図面を参照して本発明の実施例を詳細に説明する。なお、各図面を通して同一符号は同一又は対応部分を示すものである。また、以下に説明する実施例は例示として本発明を示しているに過ぎず、その他の変更が可能なことは言うまでもない。
【００２４】
図１は、本発明の一実施例のローラ型ワンウェイクラッチを示す正面図であり、図３は図１の裏側より見た正面図である。また、図２は、図３のＡ−Ｏ−Ａ線に沿った断面図である。
【００２５】
図１乃至図３は、ローラがカム面に噛み合っている状態、すなわちワンウェイクラッチが高負荷の下で噛み合い、ロックしている状態を示している。
【００２６】
図１乃至図３に示すように、ローラ型ワンウェイクラッチ３０は、カム面１２を有する凹部として形成された複数のポケット４を内周に備えた環状の外輪１と、外輪１に対して半径方向内径側に離間され、相対回転自在に同心状に配置され、環状の外周軌道面１１を有する内輪２と、ポケット４内に配置されて内輪２の外周軌道面１１と外輪１の内周カム面１２との間でトルクを伝達するローラ３と、ポケット４内に配置され、ローラ３をカム面１２との係合方向に付勢するスプリング５と、ローラ３を保持する保持器６とから成っている。保持器６は、外輪１及び内輪２のいずれにも固定されておらず、外輪１及び内輪２に対して相対回動自在となっている。
【００２７】
図７は、本実施例のワンウェイクラッチを組み込んだ動力伝達機構の模式図である。ワンウェイクラッチ３０の内輪２にクランクシャフト３１が嵌合し、ジェネレータ３２がボルト７によって外輪１の軸方向端面２１に取り付けられている。
【００２８】
不図示のスタータモータからの駆動力がワンウェイクラッチ３０のカム機構によりクランクシャフト３１に伝達される。
【００２９】
本実施例においては、外輪１に設けられるポケット４は、円周方向等配に３箇所設けられている。また、外輪１をジェネレータ３２に固定するために用いられ、軸方向に貫通するボルト孔８も円周方向等分に３箇所設けられており、ポケット４とボルト孔８とは等間隔で交互に配置されている。もちろん、ポケット４の数は、トルクの大きさに応じて、例えば３乃至６個などの複数個の設定が可能であることは言うまでもない。
【００３０】
図２及び図３に示すように、ローラ３を保持する保持器６は、円筒部１０と、円筒部１０の軸方向一端部から外径方向へ延在する環状のフランジ部１７を備えている。尚、図３では、フランジ部１７は、ポケット４が見えるように一部破断して示している。
【００３１】
また、保持器６は、ローラ３の数に対応して、窓１８を有する。窓１８は、径方向には貫通しているが、軸方向では、フランジ部１７側も、フランジ部１７と対向する端部１９側でも閉じられている。円周方向では、ローラ径よりも小さな窓幅となっている。すなわち、ローラ３は、四辺の囲まれたほぼ矩形の窓１８内に着座しており、ローラ３の内径方向への脱落を防止できる。窓１８とローラ３との関係を示すため、図１においては、図中一番上の窓１８は、端部１９を破断して示している。
【００３２】
図２及び図３に示すように、外輪１の軸方向端面２１の内径部に環状の段部１３が設けられ、段部１３に保持器６のフランジ部１７が嵌合している。段部１３の軸方向深さは、フランジ部１７の厚さよりわずかに大きくしてあり、フランジ部１７が段部１３に嵌合すると、外輪１の軸方向端面２１とフランジ部１７の軸方向端面との間にはクリアランスが生じる。このため、保持器６が外輪１に対して相対回動自在となり、保持器６の軸方向への抜け止めが可能となる。
【００３３】
スプリング５の一方の端部、すなわちタブ１５は、図１に示すように外輪１の軸方向端面２２に溶接により固定され、他方の端部、すなわちタブ１６は、図３に示すようにローラ３の軸方向端面と保持器６のフランジ部１７との間に挟持されている。このように構成したため、スプリング５自体が外輪１に対して固定状態に支持され、スプリング５の脱落を防止できると同時に、ローラ３の軸方向への脱落を防止できる。
【００３４】
本実施例では、スプリング５の端部１５は、図１及び図５に示すように、スポット溶接で外輪１に固定されている。スポット溶接部３６は、端部１５に対して２箇所設ける。しかしながら、この端部１５の固定には、その他の方法、例えば、溶接、接着、ハンダ付け等の方法も用いることができる。
【００３５】
図４は、図１のポケット４周辺を拡大した部分正面図である。図４は、図１と異なり、ローラ３はカム面１２から離れ、非ロック状態のワンウェイクラッチ３０を示している。
【００３６】
図５は図４のポケット４を拡大したＸ−Ｘ線に沿った断面図であり、図６は本実施例のスプリング５を拡大した断面図である。
【００３７】
図６に示すように、スプリング５は、外輪１の軸方向端面２２にスポット溶接で固定される一方の端部は、蛇腹状の本体部２７からほぼ直角に曲げられた曲げ部２５を介して本体部２７から一体に連続するタブ部１５として形成されている。一方、他端部も、同様に本体部２７からほぼ直角に曲げられた曲げ部２６を介して本体部２７から一体的に連続するタブ部１６として形成されている。尚、図６は、スプリング５にほとんど負荷のかかっていない状態で示している。
【００３８】
タブ部１５は、図１及び図５に示すように外輪１の軸方向端面２２にスポット溶接により固定されている。一方、タブ部１６は、図３及び図５に示すようにローラ３の軸方向端面と保持器６のフランジ部１７との間に挟持されている。
【００３９】
このように構成したため、スプリング５自体が外輪１に対して固定状態に支持され、スプリング５の脱落を防止できると同時に、ローラ３の軸方向への脱落を防止できる。
【００４０】
また図６に詳細を示すように、曲げ部２５及び曲げ部２６にはそれぞれ外側に湾曲した湾曲部３７及び３８が形成されている。湾曲部３７及び３８の内側には図示のように空間が画成されている。スプリング５に負荷のかかった状態を示す図５から分かるように、この空間により、湾曲部３７と外輪１の周方向縁部との間には所定のクリアランスが生まれる。また、湾曲部３８とローラ３の周方向縁部との間にも所定のクリアランスが生まれる。これにより、スプリング５の曲げ部２５と２６がそれぞれ外輪１とローラ３と当接して干渉することを防止できる。
【００４１】
湾曲部３７及び３８は、外輪１及びローラ３との干渉を避けるために、当接しないような構成を取るならば、その他の形状にすることも可能である。例えば、外側に突出する矩形の形状にすることも可能である。
【００４２】
このように曲げ部２５及び２６を設けることによって、ワンウェイクラッチ３０の動作の際に、曲げ部が外輪１またはローラ３に接触することによって曲げ部に不必要な力が加わることはなく、曲げ部の疲労折損や、摩耗による早期折損などを引き起こすこと、またローラのスムースな動作にも支障をきたすことを避けることができる。
【００４３】
曲げ部２５及び２６は、プレス加工により本体部２７から連続するように本体部２７と一体に形成することができる。
【図面の簡単な説明】
【００４４】
【図１】図１は、本発明の一実施例のローラ型ワンウェイクラッチを示す正面図であり、高負荷で噛み合っている時の状態を示している。
【図２】図２は、図３のＡ−Ｏ−Ａ線に沿った断面図である。
【図３】図３は、図１の裏側より見た正面図である。
【図４】図４は、図１のポケット４周辺を拡大した部分正面図である。
【図５】図５は、本発明の一実施例のローラ型ワンウェイクラッチにおけるポケットを拡大した、図４のＸ−Ｘ線に沿った断面図である。
【図６】図６は、本発明の一実施例のローラ型ワンウェイクラッチにおけるスプリングを拡大した正面図である。
【図７】図７は、本発明の一実施例のローラ型ワンウェイクラッチを組み込んだ動力伝達機構の模式図である。
【図８】図８は、図４のX−X線に沿った従来のポケット周辺の断面図である。
【符号の説明】
【００４５】
１  外輪
２  内輪
３  ローラ
４  ポケット
５  スプリング
６  保持器
７  ボルト
８  ボルト孔
１０  円筒部
１１  内輪の外周軌道面
１２  カム面
１３  段部
１５  スプリングのタブ部
１６  スプリングのタブ部
１７  フランジ部
１８  窓
１９  保持器の端部
２１  外輪の軸方向端面
２２  外輪の軸方向端面
２５  曲げ部
２６  曲げ部
２７  スプリングの本体部
３０  ローラ型ワンウェイクラッチ
３１  クランクシャフト
３２  ジェネレータ
３７  湾曲部
３８  湾曲部
【図１】
2010116988.tif 000003
【図２】
2010116988.tif 000004
【図３】
2010116988.tif 000005
【図４】
2010116988.tif 000006
【図５】
2010116988.tif 000007
【図６】
2010116988.tif 000008
【図７】
2010116988.tif 000009
【図８】
2010116988.tif 000010